(57)【特許請求の範囲】
【請求項１】
当該装置の駆動電源としてのバッテリと、
前記バッテリを駆動電源として駆動し、入力部を介して入力された商品に係るデータに基づいて、前記商品の販売データを処理する処理部と、
前記バッテリを駆動電源として駆動し、前記処理部による処理結果を印字する印字部と、
前記バッテリを駆動電源として駆動し、開閉するドロワと、
前記処理部における処理の速度に対応する周波数のクロック信号を生成するクロック発振器と、
前記印字部による前記処理結果の印字が終了したこと、又は前記ドロワが閉じられたことにより前記処理部による前記処理において一客との商取引が終了したことを知得したら、前記クロック発振器を制御して前記クロック信号の前記周波数を低下させ、かつ前記クロック信号の周波数を低下させた後、前記処理部による前記処理において次客との商取引が開始されたことを知得したら、前記クロック発振器を制御して前記クロック信号の前記周波数を前記低下させる前の前記周波数に戻すクロック周波数制御部と、
を具備することを特徴とする商品販売データ処理装置。
【請求項２】
前記次客との商取引が開始されたことの知得は、前記入力部を介して前記商品に係るデータが入力されたことの知得であることを特徴とする請求項１に記載の商品販売データ処理装置。
【発明の詳細な説明】
【技術分野】
【０００１】
本発明の実施形態は、商取引を決済処理するＰＯＳ（Ｐｏｉｎｔ  Ｏｆ  Ｓａｌｅｓ）端末等の商品販売データ処理装置に関する。
【背景技術】
【０００２】
既存の商品販売データ処理装置（例えば電子式キャッシュレジスタ，ＰＯＳ端末）は、駆動電源として通常の商用電源を用いている。一方、バッテリを搭載した商品販売データ処理装置も実用化されている。ただし、このバッテリは、停電対策として搭載されているものである。すなわち、バッテリを搭載した商品販売データ処理装置は、商用電源に停電が発生した場合に電源をバッテリに切り替えて、停電による処理中のデータの消失を防ぐ。このように、消費電力が大きい動作を頻繁に実行する商品販売データ処理装置の駆動電源としては、バッテリは用いられていない。
【先行技術文献】
【特許文献】
【０００３】
【特許文献１】特開２０１１−３９６８５号公報
【発明の概要】
【発明が解決しようとする課題】
【０００４】
従来の商品販売データ処理装置は、商用電源を駆動電源としている。このため、催事会場や屋外等で商品販売データ処理装置を使用する場合、いかに駆動電源を確保するかが問題となる。バッテリを駆動電源にできればこの問題は解決される。しかしながら、商品販売データ処理装置は、ＰＣ等の他の情報処理装置とは異なり、バッテリのみを駆動電源とした長時間駆動は困難である。
【０００５】
本発明が解決しようとする課題は、例えばバッテリを駆動電源としても長時間駆動できるような消費電力の削減を実現した商品販売データ処理装置を提供することにある。
【課題を解決するための手段】
【０００６】
一実施形態において、商品販売データ処理装置は、バッテリと、処理部と、印字部と、ドロワと、クロック発振器と、クロック周波数制御部とを備える。バッテリは、当該装置の駆動電源とする。処理部は、バッテリを駆動電源として駆動し、入力部を介して入力された商品に係るデータに基づいて、商品の販売データを処理する。印字部は、バッテリを駆動電源として駆動し、処理部による処理結果を印字する。ドロワは、バッテリを駆動電源として駆動し、開閉する。クロック発振器は、処理部における処理の速度に対応する周波数のクロック信号を生成する。クロック周波数制御部は、印字部による処理結果の印字が終了したこと、又はドロワが閉じられたことにより処理部による処理において一客との商取引が終了したことを知得したら、クロック発振器を制御してクロック信号の周波数を低下させ、かつクロック信号の周波数を低下させた後、処理部による処理において次客との商取引が開始されたことを知得したら、クロック発振器を制御してクロック信号の周波数を低下させる前の前記周波数に戻す。
【図面の簡単な説明】
【０００７】
【図１】図１は、各実施形態に係るＰＯＳ端末の要部構成例を示す外観斜視図である。
【図２】図２は、各実施形態に係るＰＯＳ端末のシステム構成例を示すブロック図である。
【図３】図３は、ＣＰＵが出力するコマンドと、クロック発振器が生成するクロック信号との関係を説明するための模式図である。
【図４】図４は、第１の実施形態に係るＰＯＳ端末のＣＰＵの制御による登録処理の一例を示すフローチャートである。
【図５】図５は、第２の実施形態に係るＰＯＳ端末のＣＰＵの制御による登録処理の一例を示すフローチャートである。
【図６】図６は、第３の実施形態に係るＰＯＳ端末のＣＰＵの制御による登録処理の一例を示すフローチャートである。
【発明を実施するための形態】
【０００８】
以下、例えば店舗や屋外等で利用されるＰＯＳ端末を例にして、商品販売データ処理装置のいくつかの実施形態を説明する。  
［第１の実施形態］
第１の実施形態について説明する。本実施形態に係るＰＯＳ端末の要部の構成例を表す外観斜視図を図１に示す。また、本実施形態に係るＰＯＳ端末のシステム構成例を表すブロック図を図２に示す。図１及び図２に示すように、ＰＯＳ端末１は、後述する各構成部材が収容された本体１０と、本体１０上に配設されたディスプレイ１２とを備える。さらに、図１には図示されていないが、図２に示すように、ＰＯＳ端末１は、現金等を収容するためのドロワ１６と、買物客に対して商品販売データや取引に係る合計金額等を表示するための客用ディスプレイ１７と、商品に付与されたバーコード等を読み取るためのスキャナ１８とを備えている。
【０００９】
図２に示すように、本体１０は、電源回路１０１と、充放電回路１０３と、バッテリ１０５と、電源スイッチ１０７と、ＣＰＵ１０９と、クロック発振器１０９ｃと、Ｉ／Ｏコントローラ１１１と、ＲＯＭ（Ｒｅａｄ  Ｏｎｌｙ  Ｍｅｍｏｒｙ）１１３と、ＲＡＭ（Ｒａｎｄｏｍ  Ａｃｃｅｓｓ  Ｍｅｍｏｒｙ）１１５と、通信Ｉ／Ｆ１１７と、ＨＤＤ（Ｈａｒｄ  Ｄｉｓｃ  Ｄｒｉｖｅ）１１９と、プリンタ１２１とを備える。ディスプレイ１２は、タッチパネル１２−１と、ＬＣＤ（Ｌｉｑｕｉｄ  Ｃｒｙｓｔａｌ  Ｄｉｓｐｌａｙ）１２−２とを有する。
【００１０】
電源スイッチ１０７は、ＰＯＳ端末１の主電源スイッチである。電源スイッチ１０７は、ＯＮ状態では充放電回路１０３と電源回路１０１とを接続する。充放電回路１０３には、バッテリ１０５が接続されている。バッテリ１０５は、商用電源を用いずにＰＯＳ端末１を動作させるためのバッテリである。このバッテリ１０５は、例えば屋外等の商用電源の確保が困難な場合に利用する駆動電源として機能する。また、充放電回路１０３は、商用電源にも接続できるように構成されている。充放電回路１０３は、商用電源の使用時に電源スイッチ１０７がＯＮにされたら、商用電源の電力を電源回路１０１に供給する。また、充放電回路１０３は、バッテリ１０５の充電時には商用電源の電圧をバッテリ１０５に印加してバッテリ１０５を充電し、バッテリ１０５の放電時には充電されたバッテリ１０５の放電電力を電源回路１０１に供給する。電源回路１０１は、電源スイッチ１０７がＯＮにされ、充放電回路から電力が供給された際、バッテリ１０５又は商用電源の電圧をＰＯＳ端末１の各部に印加し、各部に電力を供給する。
【００１１】
ＣＰＵ１０９は、ＰＯＳ端末１の各部を統括的に制御する制御部である。ＣＰＵ１０９は、ＲＯＭ１１３及びＨＤＤ１１９に格納された各種プログラムを読み出してそれを実行することで動作する。クロック発振器１０９ｃは、ＣＰＵ１０９にクロック信号を供給するクロックジェネレータである。クロック発振器１０９ｃが生成するクロック信号の周波数（クロック周波数）は、ＣＰＵ１０９の指令に応じて変化する。例えば、図３に示すように、ＣＰＵ１０９がクロック発振器１０９ｃへコマンドｃｏｍ１を送信すると、コマンドｃｏｍ１を受信したクロック発振器１０９ｃは、生成するクロック信号の周波数を低周波数にする。一方、例えば、ＣＰＵ１０９がクロック発振器１０９ｃへコマンドｃｏｍ２を送信すると、コマンドｃｏｍ２を受信したクロック発振器１０９ｃは、生成するクロック信号の周波数を高周波数にする。クロック発振器１０９ｃからＣＰＵ１０９へのクロック信号の供給は、制御信号の送受信に用いられるバスではなく、クロック信号を送信するためのラインＣＬＫを介して行われる。ＣＰＵ１０９は、クロック発振器１０９ｃから供給されたクロック信号に同調して動作する。
【００１２】
ＲＯＭ１１３は、ＣＰＵ１０９が実行する各種プログラムや各種データテーブル等を記憶している。ＲＡＭ１１５は、ＣＰＵ１０９が各種プログラムを実行する際に一時的にデータやプログラムを記憶するメモリである。ＲＡＭ１１５は、商品の販売記録を示す商品販売データを記憶する取引メモリと、ディスプレイ１２や客用ディスプレイ１７に表示する各種の画面表示データを記憶する表示データメモリとを少なくとも備える。
【００１３】
Ｉ／Ｏコントローラ１１１は、データバスによってＣＰＵ１０９及び各Ｉ／Ｏ機器に接続されているコントローラである。ＣＰＵ１０９は、Ｉ／Ｏコントローラ１１１を介してＰＯＳ端末１のシステム全体を制御する。通信Ｉ／Ｆ１１７は、通信手段として機能する。通信Ｉ／Ｆ１１７は、ホストサーバや管理センタとの無線通信／有線通信を制御するための通信インターフェイスである。
【００１４】
ＨＤＤ１１９は、各種情報を記憶する記憶媒体であり、例えば商品データファイルを記憶している。商品データファイルは、例えば各商品を識別する商品識別コード（以下、商品コードと略称する）に対応して、商品名及び単価等の商品データがプリセットされているデータファイルである。ＣＰＵ１０９は、商品コードがＰＯＳ端末１に入力されると、ＨＤＤ１１９に記憶された商品データファイルを検索してその商品コードに対応する商品データを取り込み、この商品データに基づいて商品販売データについて登録処理を実行する。なお、ＨＤＤ１１９には、上述の商品データファイルの他、例えば後述する会計毎の売上データ等を記憶させてもよい。
【００１５】
商品コードは、ＰＯＳ端末１を操作するキャッシャと称される店員が、例えばスキャナ１８でバーコードを読み取ったり、タッチパネル１２−１又は図示しないキーボードを用いて入力したりすることで入力される。なお、商品コードの入力方式は、本願発明の特徴部に係るものではないので、ここでは詳細な説明を省略する。
【００１６】
タッチパネル１２−１は、例えば抵抗膜方式のタッチパネルである。タッチパネル１２−１は、ユーザが指先やタッチペンで触れる接触操作を行った位置に応じた電気信号を出力する。Ｉ／Ｏコントローラ１１１は、タッチパネル１２−１から出力される電気信号に基づいて接触位置座標を算出してＣＰＵ１０９に通知する。
【００１７】
ＬＣＤ１２−２は、液晶ディスプレイから成る表示パネルである。ＬＣＤ１２−２は、バックライト１２ｂと調光回路１２ｍとを有する。バックライト１２ｂは、図示しない表示パネルの裏面に配設され、当該表示パネルを裏面側から照明する照明手段である。調光回路１２ｍは、ＣＰＵ１０９から受信した制御信号に基づいて、バックライト１２ｂの輝度の高低、及び点灯／消灯を制御する。調光回路１２ｍによる輝度制御は、例えば、輝度値を示す輝度データが複数設定されているデータテーブルに基づいて行われる。このデータテーブルは、例えばＲＯＭ１１３、ＨＤＤ１１９、又は調光回路１２ｍ中の図示しないメモリ等に記憶されている。
【００１８】
商品販売における本実施形態に係るＰＯＳ端末１の動作を、図４を参照して説明する。図４は、ＰＯＳ端末１のＣＰＵ１０９によって制御される登録処理を示すフローチャートである。この登録処理は、キャッシャが、ＰＯＳ端末１の例えばタッチパネル１２−１を操作して商品登録業務を選択すると開始される。
【００１９】
ステップＳ１においてＣＰＵ１０９は、入力がなされたか否かを判定する。ここで入力とは、例えば、キャッシャによってタッチパネル１２−１又はスキャナ１８が操作されたこと等を意味する。入力がなされていない（ＮＯ）場合、すなわち、キャッシャがＰＯＳ端末１を操作していない場合、処理はステップＳ１に戻される。すなわち、入力がなされるまで、処理は待機状態となる。一方、入力がなされた（ＹＥＳ）場合、処理はステップＳ２に移される。
【００２０】
ステップＳ２においてＣＰＵ１０９は、クロック発振器１０９ｃにクロック信号の周波数（クロック周波数）を高周波数とするための指令であるコマンドｃｏｍ２を出力する。その結果、クロック発振器１０９ｃは、生成するクロック信号の周波数を高周波数とする。ここで、クロック信号が高周波数であるとは、ＣＰＵ１０９の性能を十分に引き出し、ＣＰＵ１０９に高速演算を行わせるような周波数をクロック信号が有していることを意味する。
【００２１】
ステップＳ３においてＣＰＵ１０９は、商品コードが入力されたか否かを判定する。商品コードが入力されていない（ＮＯ）場合には、処理はステップＳ３に戻される。すなわち、商品コードが入力されるまで、処理は待機状態となる。一方、入力がなされたら（ＹＥＳ）、処理はステップＳ４に移される。
【００２２】
ステップＳ４においてＣＰＵ１０９は、入力された商品コードについて、ＨＤＤ１１９に記憶された商品データファイルを検索し、当該商品コードに対応して記憶されている商品名、単価等の商品情報を検出して取り込む。ステップＳ５においてＣＰＵ１０９は、ステップＳ４において取得した商品情報と例えばタッチパネル１２−１を用いてキャッシャにより入力された販売点数とに基づいて、商品販売データを生成し、ＲＡＭ１１５の取引メモリに登録する。ここで、商品販売データは、例えば、販売商品の商品コード、販売点数、及び販売金額（単価×販売点数）を少なくとも含む。ステップＳ６においてＣＰＵ１０９は、ディスプレイ１２及び客用ディスプレイ１７に、ステップＳ５で登録した商品販売データを表示させる。
【００２３】
ステップＳ７においてＣＰＵ１０９は、小計キーの入力がなされたか否か、すなわち“小計指示”がなされたか否かを判定する。ここで“小計指示”は、キャッシャが例えばディスプレイ１２に表示された“小計キー”を接触操作すること等によりなされる指示であり、“当該取引を締めるための指示”である。小計キーの入力がない（ＮＯ）場合、すなわち、“小計指示”がなされていない場合、処理はステップＳ３へ戻される。このときＣＰＵ１０９は、次の商品コードの入力を待つ。一方、小計キーの入力がある（ＹＥＳ）場合、すなわち、“小計指示”がなされた場合、処理はステップＳ８に移される。
【００２４】
ステップＳ８においてＣＰＵ１０９は、当該取引に係る合計金額（商品代金）を算出し、それをディスプレイ１２及び客用ディスプレイ１７に表示させる。ステップＳ９においてＣＰＵ１０９は、“現計キー”が入力されたか否か、すなわち、“現計操作”がなされたか否かを判定する。ここで、“現計操作”は、キャッシャが例えばディスプレイ１２に表示された“現計キー”を接触操作すること等によりなされる操作であり、“客からの預かり金額を入力した後に決済処理するための操作”である。“現計キー”が入力されていない（ＮＯ）場合、処理はステップＳ９に戻される。すなわち、処理は代金支払いを待つ待機状態となる。一方、“現計キー”の入力がなされたら（ＹＥＳ）、処理はステップＳ１０に移される。
【００２５】
ステップＳ１０においてＣＰＵ１０９は、“客からの預かり金額”から“当該取引に係る合計金額（商品代金）”を差し引いて“釣り銭額”を算出し、ディスプレイ１２及び客用ディスプレイ１７に表示させる。ステップＳ１１においてＣＰＵ１０９は、プリンタ１２１にレシートを印字させるためのレシート印字コマンドを送信する。その結果、プリンタ１２１は、当該取引の詳細情報を記載したレシートの印字を開始する。
【００２６】
ステップＳ１２においてＣＰＵ１０９は、ドロワ１６に対して、ドロワ開放コマンドを送信する。キャッシャは、開放されたドロワ１６に“預かり金”を収容すると共に“釣り銭”を取り出す。ステップＳ１３においてＣＰＵ１０９は、当該取引の詳細情報を示す売上データを、通信Ｉ／Ｆ１１７を介して図示しないホストサーバに送信する。
【００２７】
ステップＳ１４においてＣＰＵ１０９は、プリンタ１２１からレシートの印字を終了した旨の信号が入力されたか否かを判定する。印字終了の入力がない（ＮＯ）場合、処理はステップ１４に戻される。すなわち、印字終了まで処理は待機状態となる。一方、印字終了の入力がある（ＹＥＳ）場合、処理はステップＳ１５に移される。
【００２８】
ステップＳ１５においてＣＰＵ１０９は、クロック発振器１０９ｃにクロック信号の周波数（クロック周波数）を低周波数とするための指令であるコマンドｃｏｍ１を出力する。その結果、クロック発振器１０９ｃは、生成するクロック信号の周波数を低周波数とする。クロック信号が低周波数であるとは、ＣＰＵ１０９の演算速度を低下させて、処理速度が遅いものの省電力である状態にするような周波数をクロック信号が有していることを意味する。
【００２９】
ステップＳ１６においてＣＰＵ１０９は、本登録処理の終了の指示が入力されたか否かを判定する。終了の指示が入力されなければ（ＮＯ）、処理はステップＳ１に戻される。この場合、例えばキャッシャによる次の客の対応まで、処理はステップＳ１で待機状態となる。一方、終了の指示が入力されれば（ＹＥＳ）、処理は終了する。
【００３０】
このように、例えばタッチパネル１２−１又はスキャナ１８は、入力部として機能する。例えばＣＰＵ１０９は、入力部を介して入力された商品に係るデータに基づいて、商品の販売データを処理する処理部として機能する。例えばクロック発振器１０９ｃは、処理部における処理の同期に用いられるクロック信号を生成するクロック発振器として機能する。例えばＣＰＵ１０９は、ステップＳ１４乃至ステップＳ１５の処理において、一客との商取引が終了したことを知得したらクロック発振器を制御してクロック信号の周波数を低下させるクロック周波数制御部として機能する。例えばＣＰＵ１０９は、ステップＳ１乃至ステップＳ２の処理において、次客との商取引が開始されたことを知得したら、クロック発振器を制御してクロック信号の周波数を低下させる前の周波数に戻すクロック周波数制御部として機能する。例えばプリンタ１２１は、処理部による処理結果を印字する印字部として機能する。
【００３１】
本実施形態によれば、ステップＳ１５でクロック周波数が低周波数にされた後、ステップＳ２でクロック周波数が高周波数にされるまで、すなわち、ステップＳ１４でレシートの印字終了が確認された後、ステップＳ１で例えば次の客の処理を行う等の入力がなされるまで、クロック周波数は低下し、ＣＰＵ１０９は低速の省電力モードで処理を実行する。すなわち、この間ＰＯＳ端末１の消費電力は低く抑えられる。本実施形態によれば、例えばバッテリを駆動電源としても長時間駆動を可能とするような、消費電力の削減を実現した商品販売データ処理装置を提供することができる。これにより、例えば駆動電源としてバッテリを用いる場合であっても実用に耐え得る駆動時間を確保することができる。
【００３２】
なお、レシートの印字終了後、次の入力があるまでは、ＣＰＵ１０９は待機状態であり、高速演算を必要とする処理を行わない。したがって、ＰＯＳ端末１を上述のように動作させても機能的に不都合はない。また、ＣＰＵ１０９は、ＰＯＳ端末１の中で比較的消費電力が大きい。したがって、ＣＰＵ１０９のクロック周波数を低下させることは、ＰＯＳ端末１全体の省電力に比較的大きく貢献する。
【００３３】
［第２の実施形態］
第２の実施形態について説明する。ここでは、第１の実施形態との相違点について説明し、同一の部分については、同一の符号を付してその説明を省略する。本実施形態に係るＰＯＳ端末１の構成は、図１及び図２を参照して説明した第１の実施形態のＰＯＳ端末１の構成と同様である。第１の実施形態では、ステップＳ１において入力がなされたとき、処理がステップＳ２に進められ、クロック周波数が高周波数に設定される。これに対して本実施形態では、図５にフローチャートを示すように、ステップＳ２１において、商品コードの入力がなされたとき、処理がステップＳ２２に進められ、クロック周波数が高周波数に設定される。
【００３４】
すなわち、ステップＳ２１においてＣＰＵ１０９は、商品コードが入力されたか否かを判定する。入力がなされていない（ＮＯ）場合、処理はステップＳ２１に戻され、処理は待機状態となる。一方、商品コードの入力がなされた（ＹＥＳ）場合、処理はステップＳ２２に移される。ステップＳ２２においてＣＰＵ１０９は、クロック周波数を高周波数に設定するように、クロック発振器１０９ｃにコマンドｃｏｍ２を出力する。その後処理はステップＳ２４に移される。ステップＳ２３乃至ステップＳ３６の処理は、それぞれ、図４を参照して説明した第１の実施形態のステップＳ３乃至ステップＳ１６の処理と同様である。ここではステップＳ２３乃至ステップＳ３６の処理の説明は省略する。
【００３５】
本実施形態によっても、ステップＳ３５でクロック周波数が低周波数にされた後、ステップＳ２２でクロック周波数が高周波数にされるまで、すなわち、ステップＳ３４でレシートの印字が終了した後、ステップＳ２１で商品コードが入力されるまで、クロック周波数は低周波数となる。したがって、この間消費電力は低く抑えられる。本実施形態によっても、例えばバッテリを駆動電源としても長時間駆動を可能とするような、消費電力の削減を実現した商品販売データ処理装置を提供することができる。
【００３６】
［第３の実施形態］
第３の実施形態について説明する。ここでは、第１の実施形態との相違点について説明し、同一の部分については、同一の符号を付してその説明を省略する。本実施形態に係るＰＯＳ端末１の構成は、図１及び図２を参照して説明した第１の実施形態のＰＯＳ端末１の構成と同様である。第１の実施形態では、レシートの印字完了後、クロック周波数が低周波数に設定される。これに対して本実施形態では、ドロワ１６の開放後、ドロワ１６が閉じられたらクロック周波数が低周波数に設定される。このため、ドロワ１６は、その開閉を検出することができ、その開閉に係る信号をＣＰＵ１０９に出力するように構成されている。本実施形態に係る処理のフローチャートを図６に示す。
【００３７】
本実施形態におけるステップＳ４１乃至ステップＳ５３の処理は、それぞれ、図４を参照して説明した第１の実施形態のステップＳ１乃至ステップＳ１３の処理と同様である。ここではステップＳ４１乃至ステップＳ５３の説明は省略する。ステップＳ５３における取引の詳細情報を示す売上データを、通信Ｉ／Ｆ１１７を介して不図示のホストサーバに送信した後、ステップＳ５４においてＣＰＵ１０９は、ドロワ１６からドロワ１６の開閉に係る信号を受信し、ドロワ１６が閉じられたか否かを判定する。ドロワ１６が閉じられていない（ＮＯ）場合、処理はステップＳ５４に戻される。すなわち、ドロワ１６が閉じられるまで、処理は待機状態となる。一方、ドロワ１６が閉じられた（ＹＥＳ）場合、処理はステップＳ５５に移される。
【００３８】
ステップＳ５５においてＣＰＵ１０９は、クロック周波数を低周波数に設定するように、クロック発振器１０９ｃにコマンドｃｏｍ１を出力する。その結果、クロック発振器１０９ｃから出力されるクロック信号は低周波数になる。すなわち、ＣＰＵ１０９は、省電力で動作する。ステップＳ５６においてＣＰＵ１０９は、本登録処理の終了の指示が入力されたか否かを判定する。終了の指示が入力されていない（ＮＯ）場合、処理はステップＳ４１に戻される。一方、終了の指示が入力された（ＹＥＳ）場合、処理は終了する。
【００３９】
このように、例えばドロワ１６は、開閉するドロワとして機能する。例えばＣＰＵ１０９は、ステップＳ５４乃至ステップＳ５５の処理において、一客との商取引が終了したことを知得したらクロック発振器を制御してクロック信号の周波数を低下させるクロック周波数制御部として機能する。
【００４０】
本実施形態によれば、ステップＳ５５でクロック周波数が低周波数に設定された後、ステップＳ４２でクロック周波数が高周波数に設定されるまで、すなわち、ステップＳ５４で例えばキャッシャが客からの預かり金をドロワ１６内に収容してドロワ１６を閉じたことでドロワ１６が閉じられた信号を受信した後、ステップＳ４１で例えばキャッシャが次の客の処理を行う等して入力がなされるまで、クロック周波数は低周波数となる。本実施形態によっても、例えばバッテリを駆動電源としても長時間駆動を可能とするような、消費電力の削減を実現した商品販売データ処理装置を提供することができる。また、本実施形態でも第２の実施形態と同様に、商品コードの入力がなされたとき、クロック周波数が高周波数に設定されるようにしてもよい。
【００４１】
なお、前記実施形態は、装置内部のプログラム記憶部であるＲＯＭ１１３に発明の機能を実現させる制御プログラムが予め記録されているものとした。しかしこれに限らず、同様のプログラムがネットワークから装置にダウンロードされてもよい。あるいは、記録媒体に記録された同様のプログラムが、装置にインストールされてもよい。記録媒体は、ＣＤ−ＲＯＭ，メモリカード等のようにプログラムを記憶でき、かつ装置が読み取り可能であれば、その形態は問わない。また、プログラムのインストールやダウンロードにより得る機能は、装置内部のＯＳ（オペレーティング・システム）等と協働してその機能を実現させるものであってもよい。
【００４２】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４３】
１…ＰＯＳ端末、１０…本体、１２…ディスプレイ、１２−１…タッチパネル、１２−２…ＬＣＤ、１２ｂ…バックライト、１２ｍ…調光回路、１６…ドロワ、１７…客用ディスプレイ、１８…スキャナ、１０１…電源回路、１０３…充放電回路、１０５…バッテリ、１０７…電源スイッチ、１０９…ＣＰＵ、１０９ｃ…クロック発振器、１１１…Ｉ／Ｏコントローラ、１１３…ＲＯＭ、１１５…ＲＡＭ、１１９…ＨＤＤ、１２１…プリンタ。
【図１】
0005473160.tif 000002
【図２】
0005473160.tif 000003
【図３】
0005473160.tif 000004
【図４】
0005473160.tif 000005
【図５】
0005473160.tif 000006
【図６】
0005473160.tif 000007